(57)【要約】      （修正有）【課題】花茎の短い生花も透明性のある容器に美観を損なうことなく、安定的に活けられるテーブルフラワー用花立てを提供する。【解決手段】花茎２の短い生花１を吸水性を有する紙３に巻き込み、縦に切れ込み７を入れたプラスチック製チューブ６に挿入し、このチューブの下部を容器として使うプラスチック製ワイングラス４の底部に設けた切れ込み８に差し込んで固定し、花立てとする。この容器に粒状高吸水性ポリマー５と三分の一ほど水を入れ、毛細管現象により水を吸い上げさせ生花の花茎に給水する。【選択図】図１
0003192757.tif 000002
【実用新案登録請求の範囲】
【請求項１】
透明な花立て用容器に生花を活けるために用いられるものであって、
ａ．生花の花茎部分が吸水性を有する状態で挿入するためのチューブであって、縦に切れ    込みを有するチューブと、
ｂ．前記チューブを前記容器に入れたとき該チューブの下端を該容器に固定するための手    段と
を有することを特徴とするテーブルフラワー用花立て。
【考案の詳細な説明】
【技術分野】
【０００１】  本考案は接客用テーブルなどに置く装飾用生花を活けるテーブルフラワー用花立てに関するものである。
【背景技術】
【０００２】  従来、テーブルに置く透明な花立て容器に生花を活ける際に吸水性スポンジが多用されている。
【先行技術文献】
【実用新案文献】
【０００３】
【実用新案文献１】
実用新案登録第３０１６４０７号
【考案が解決しようとする課題】
【０００４】  しかしながら、上記の吸水性スポンジを使う方法では吸水性スポンジが美観を欠くため、生花などでカバーしなければならず、花を活けるのが大変であった。
【０００５】  本考案は上記問題に対処するためになされたもので、その目的は、美観を損なうことなく、透明な花立て用容器に極めて容易に生花を活けることができるようにしたテーブルフラワー用花立てを提供することにある。
【課題を解決するための手段】
【０００６】  上記目的を達成するために、本考案の特徴は、透明なプラスチックまたはガラスからなる透明な花立て用容器に生花を活けるために用いられるものであって、
ａ．生花の花茎部分が吸水性を有する状態で挿入されるためのチューブであって、縦に切    れ込みを有するチューブと、
ｂ．前記チューブを前記容器に入れたとき該チューブの下端を該容器に固定するための手    段と
を備えたものである。
【考案の効果】
【０００７】  本考案によれば、縦に切れ込みを有するチューブを用いて生花を透明な容器に活けるようにしたため、吸水性スポンジを使用する場合にできるスポンジの影等が出来て美観を損なうようなことはなく、極めて容易に生花を活けることができる。
【図面の簡単な説明】
【０００８】
【図１】本考案のテーブルフラワー用花立てを用いて花を活けた状態の実施例を示す全体図である。
【図２】容器として使うプラスチック製ワイングラスとその脚部の中空部に挿入された花立ての実施例を示す全体図である。
【図３】容器として使うガラス製ワイングラスとその底部に吸盤で固定した花立ての実施例を示す全体図である。
【図４】花茎を巻き込んだ吸水性を有する紙がプラスチック製チューブに挿入された状態の説明図である。
【符号の説明】
【０００９】  １    生花
２    花茎
３    吸水性を有する紙
４    プラスチック製ワイングラス
５    粒状高吸水性ポリマー
６    プラスチック製チューブ
７    縦の切れ込み
８    差し込み用切れ込み
９    ガラス製ワイングラス
１０    吸盤
【考案を実施するための形態】
【００１０】  吸水性を有する紙３で花茎の短い生花１の花茎２を巻き込み、花立てであるプラスチック製チューブ６に設けられた縦の切れ込み７を開いて挿入する。また、チューブ６の下部には複数の差し込み用切れ込み８が設けられており、花立て容器であるプラスチック製ワイングラス４の脚部の中空部に当該チューブ６の下部に付けた複数の差し込み用切れ込み８を挿入してチューブ６をプラスチック製グラス４に固定させる。
【００１１】  生花１の花茎２の部分を紙３でまいた状態で挿入したプラスチック製チューブ６をその下端の差し込み用切れ込み８を使用してプラスチック製ワイングラス４に固定すると云う簡単な操作で、美観を損なうことなく生花１を活けることができる。
【００１２】  花立て容器として、プラスチック製ワイングラス４に代えてガラス製ワイングラス９を用いることもできる。その場合には、プラスチック製チューブ６をガラス製ワイングラス９に固定する手段として、差し込み用切れ込み８を形成する代わりに、該チューブ６の下端に吸盤１０を取り付ける。そして、この吸盤１０をガラス製ワイングラス９の底部に吸着させることにより、生花１を挿入したチューブ６をガラス製ワイングラス９に固定し、花立てを安定させるようにすることもできる。
なお、差し込み用切れ込み８や吸盤１０がプラスチック製チューブ６を花立て容器（プラスチック製ワイングラス４あるいはガラス製ワイングラス９）に固定するための手段となる。
【００１３】  また、容器としてのプラスチック製またはガラス製のワイングラス４、９の中に粒状高吸水性ポリマー５を入れることにより、チューブ６の影を弱める効果と粒状高吸水性ポリマー５の装飾性が加わりテーブルフラワーとしての装飾効果を更に高めることができる。
【実施例】
【００１４】  以下、添付図面に従って実施例を説明する。３は吸水性を有する紙で、これで生花１の花茎２を巻き込み棒状にする。これをプラスチック製チューブの縦の切れ込み８を開いて挿入する（図４）。プラスチック製チューブ６の下部に付けられた複数の縦の切れ込み８部分をプラスチック製ワイングラス４の脚部の中空部に挿入する（図２）。プラスチック製ワイングラス４に三分の一ほど水を入れ、さらに粒状高吸水性ポリマー５を入れる。
容器として使用するプラスチック製ワイングラス４に三分の一ほど給水することにより、花立てのチューブ６の切れ込み７から中に入った水が毛細管現象によりチューブ６の中の紙３を経由して花茎２に給水可能となる。【００１５】  花立てとなるプラスチック製チューブ６に縦に一本切れ込み７を入れるようにしたことにより、生花１の花茎２を巻き込んだ紙３を容易にチューブ６の中に挿入することが可能になる。また、吸水性を有する紙３で生花１の花茎２部を巻き込むため、花茎２の短い生花１も安定的に活け花として使うことが可能になる。
さらに、花立てのチューブ６の下部に縦に切れ込み８を複数入れるようにしたことにより、容器として使用するプラスチック製ワイングラス４の脚部の中空部に容易に差し込むことが可能となり、かつ花立てのチューブ６と中に入れた紙３が圧縮されワイングラス４の脚部にフィットする。【００１６】  花立て容器としてガラス製ワイングラス９を用いることもできる。その場合には、プラスチック製チューブ６の下端に吸盤１０を取り付ける。そして、この吸盤１０をガラス製ワイングラス９の底部に吸着させることにより、生花１を挿入したチューブ６をガラス製ワイングラス９に固定することが出来る（図３）。【００１７】  このように構成することにより、透明なワイングラス４、９に生花１を活ける場合に、該グラス４，９の外からは該グラスの中心部に１本の棒状のチューブ６が見えるだけなので、美観を損なうことなく、かつ、上記のように花茎２の短い生花１も極めて容易に安定的に活けることができる。
【産業上の利用可能性】
【００１５】  ホテル、結婚式場またフラワーアレンジ業者なども本考案のテーブルフラワー用花立てを利用することにより、極めて容易に能率的にテーブルフラワーを美しくセットすることが可能になる。
【図１】
0003192757.tif 000003
【図２】
0003192757.tif 000004
【図３】
0003192757.tif 000005
【図４】
0003192757.tif 000006
【手続補正書】
【提出日】平成26年6月11日(2014.6.11)
【手続補正１】
【補正対象書類名】実用新案登録請求の範囲
【補正対象項目名】全文
【補正方法】変更
【補正の内容】
【実用新案登録請求の範囲】
【請求項１】
透明な花立て用容器に生花を活けるために用いられるもので、生花の花茎部分を吸水性を有する状態で挿入するためのチューブであって、縦に切れ込みを有し、チューブの下部に付けた差し込み用切れ込み、又は、チューブの下端に取り付けた吸盤による固定手段を有する花立。